(57)【要約】【課題】加速度センサの出力に基づき被検体が負荷試験で予め定められた状態である場合に心電図出力部により当該状態での心電図を計測することにある。【解決手段】本発明は、センサユニットより送られたセンシング信号を時系列に受け該センシング信号に含まれる時系列の加速度データの周期・振幅解析を行う周期・振幅解析部２４ｂと、この解析により得られた加速度データ周期と加速度データ振幅とに基づいて被検体の行動状態を判定する行動状態判定部２４ｃと、上記センシング信号に含まれる心電図データと上記行動状態とを照合するデータ照合部２４ｅと、を有するセンタ装置２と、を有する生体情報モニタシステムである。【選択図】      図８
2007097822.tif 000002
【特許請求の範囲】
【請求項１】
被検体に装着したセンサユニットとセンタ装置とが通信自在に構成され、当該被検体に係る生体情報をモニタする生体情報モニタシステムであって、
加速度センサと、心電図出力部と、この加速度センサにより計測された加速度データ及び心電図出力部により計測された心電図データをセンシング信号として上記センタ装置に送信する通信手段とを有するセンサユニットと、
上記通信手段より送られたセンシング信号を時系列に受け、このセンシング信号に含まれる時系列の加速度データの周期・振幅解析を行う周期・振幅解析部と、この解析により得られた加速度データ周期と加速度データ振幅とに基づいて被検体の行動状態を判定する行動状態判定部と、上記センシング信号に含まれる心電図データと上記行動状態とを照合するデータ照合部と、を有するセンタ装置と、
を具備することを特徴とする生体情報モニタシステム。
【請求項２】
被検体に装着したセンサユニットとセンタ装置とが通信自在に構成され、当該被検体に係る生体情報をモニタする生体情報モニタシステムであって、
加速度センサと、心電図出力部と、この加速度センサにより計測された加速度データ及び心電図出力部により計測された心電図データを記憶する記憶部とを有するセンサユニットと、
上記記憶部より加速度データを時系列に読み出し、この時系列の加速度データの周期・振幅解析を行う周期・振幅解析部と、この解析により得られた加速度データ周期と加速度データ振幅とに基づいて被検体の行動状態を判定する行動状態判定部と、上記センシング信号に含まれる心電図データと上記行動状態とを照合するデータ照合部と、を有するセンタ装置と、
を具備することを特徴とする生体情報モニタシステム。
【請求項３】
上記行動状態判定部は、所定の領域を定義するテーブルを参照し、上記変換後のデータが属する領域に基づいて、行動状態を判定する、ことを更に特徴とする請求項１又は２のいずれかに記載の生体情報モニタシステム。
【請求項４】
上記データ照合部による照合結果を表示する表示部を更に有することを特徴とする請求項１又は２のいずれかに記載の生体情報モニタシステム。
【発明の詳細な説明】
【技術分野】
【０００１】
本発明は、例えば加速度センサの出力データを用いて被検体の行動を監視するシステムに係り、特に、歩く、ゆっくり走る、走る等といった種々の行動を特定し、各行動とその時の心電図データとの照合を行うことで生体情報をモニタする生体情報モニタシステムに関するものである。
【背景技術】
【０００２】
従来、病院や老人ホーム等でリハビリを行っている患者の行動を把握するために、患者の体表面の所定の箇所にセンサを装着し、このセンサからの出力信号について所定の演算を行って、その演算結果に基づいて被検体の姿勢を判定する装置が知られている。
【０００３】
ここで、例えば、特許文献１では、センサとして加速度回路と心電図回路、体温計回路を備えており、心電図と体温を計測し、計測時の体位を加速度回路の出力に基づいて推定する技術が開示されている。
【特許文献１】特開２００１−２９９７１２号公報
【発明の開示】
【発明が解決しようとする課題】
【０００４】
しかしながら、上記特許文献１に開示された技術は、心電図と体温と体位を同時に測定するものであって、負荷試験で予め定められた行動状態であるかを検出し、各行動状態での各心電図データを取得することについては何等開示も示唆もされていない。
【０００５】
本発明の目的とするところは、加速度センサの出力に基づき被検体が負荷試験で予め定められた状態であるか否かを判定し、当該状態である場合に各状態と心電図出力部からの心電図データとの照合を図ることを可能とすることにある。
【課題を解決するための手段】
【０００６】
上記目的を達成するために、本発明の第１の態様では、被検体に装着したセンサユニットとセンタ装置とが通信自在に構成され、当該被検体に係る生体情報をモニタする生体情報モニタシステムであって、加速度センサと、心電図出力部と、この加速度センサにより計測された加速度データ及び心電図出力部により計測された心電図データをセンシング信号として上記センタ装置に送信する通信手段とを有するセンサユニットと、上記通信手段より送られたセンシング信号を時系列に受け、このセンシング信号に含まれる時系列の加速度データの周期・振幅解析を行う周期・振幅解析部と、この解析により得られた加速度データ周期と加速度データ振幅とに基づいて被検体の行動状態を判定する行動状態判定部と、上記センシング信号に含まれる心電図データと上記行動状態とを照合するデータ照合部と、を有するセンタ装置と、を具備することを特徴とする生体情報モニタシステムが提供される。
【０００７】
本発明の第２の態様では、被検体に装着したセンサユニットとセンタ装置とが通信自在に構成され、当該被検体に係る生体情報をモニタする生体情報モニタシステムであって、加速度センサと、心電図出力部と、この加速度センサにより計測された加速度データ及び心電図出力部により計測された心電図データを記憶する記憶部とを有するセンサユニットと、上記記憶部より加速度データを時系列に読み出し、この時系列の加速度データの周期・振幅解析を行う周期・振幅解析部と、この解析により得られた加速度データ周期と加速度データ振幅とに基づいて被検体の行動状態を判定する行動状態判定部と、上記センシング信号に含まれる心電図データと上記行動状態とを照合するデータ照合部と、を有するセンタ装置と、を具備することを特徴とする生体情報モニタシステムが提供される。
【０００８】
上記第１又は第２の態様において、上記行動状態判定部が、所定の領域を定義するテーブルを参照し、上記変換後のデータが属する領域に基づいて、行動状態を判定することを更に特徴としてもよい。また、上記第１又は第２の態様において、上記データ照合部による照合結果を表示する表示部を更に有することを特徴としてもよい。
【発明の効果】
【０００９】
本発明によれば、加速度センサの出力に基づき被検体が負荷試験で予め定められた状態であるか否かを判定し、当該状態である場合に各状態と心電図出力部からの心電図データとの照合を図ることを可能とする生体情報モニタシステムを提供することができる。
【発明を実施するための最良の形態】
【００１０】
以下、図面を参照して、本発明の一実施の形態について説明する。
【００１１】
図１は本発明の一実施の形態に係る生体情報モニタシステムの概念図である。
【００１２】
生体情報モニタシステムは、センサユニット１と当該センサユニット１から延出された電極２０１ａ，２０１ｂ（以下、電極を総称する場合には、符号２０１を用いる）からなる。詳細な内部構成については、後述するが、この一実施の形態では、この生体情報モニタシステムは、被検体の胸部に装着される。そして、モニタする対象である被検体の胸部等に装着されるセンサユニット１とセンタ装置２とが、例えば無線ネットワークを介して通信自在に接続され、構成されている。センサユニット１からセンタ装置２へはセンシング信号が、センタ装置２からセンサユニット１へは計測開始、終了などの制御信号が送信される。尚、センサユニット１とセンタ装置２とが不図示の中継器を介して通信を行うように構成してもよいことは勿論である。
【００１３】
以下、センサユニット１とセンタ装置２の構成、作用を詳述する。
【００１４】
図２に示されるように、対象物に装着されるセンサユニット１は、後述するように加速度センサと心電図出力部を少なくとも含むセンサ部１１と、センサ駆動制御部１２、センシング信号送受信部１３、制御部用水晶発信器１２ｇ、送受信用水晶発信器１３ｌ、アンテナ部１４、バッテリ１５を備えている。さらに、センサ部１１は、センサユニット１外部に延出された電極２０１とも電気的に接続されている。
【００１５】
ここで、図３に示されるように、図２に示した構成からセンサ駆動信号送受信部１３をセンサ信号送信部３３に換えて一方向の送信のみを行うセンサユニット３の如き構成としてもよい。この場合、センサユニット３は、センサ部３１、センサ駆動制御部３２、センシング信号送信部３３、アンテナ部３４、バッテリ３５、制御部用水晶発信器１２ｇ、送受信用水晶発信器１３ｌ、で構成される。
【００１６】
更に、図４に示されるように、図２に示した構成からセンシング信号送受信部１３、アンテナ部１４を削除し、センタ装置２と通信することなく単独で動作するようにしてもよい。この場合には、センサユニット４は、センサ部４１、センサ駆動制御部４２、センシング信号蓄積部４３、バッテリ４４、制御部用水晶発信器１２ｇ、送受信用水晶発信器１３ｌ、で構成されることになる。
【００１７】
以下、この一実施の形態では、先に図２に示されるような構成のセンサユニット１を採用することを前提に更なる説明を進める。
【００１８】
図５にはセンサユニット１の構成要素であるセンサ駆動制御部１２とセンサ部１１との詳細な構成を示し説明する。この図５に示されるように、センサ部１１は、心電図出力部１１ａ、加速度センサ１１ｂ、温度センサ１１ｃを有する。さらに、センサ駆動制御部１２は、ＣＰＵ（中央制御部）１２ａとＡＤ変換部１２ｂ，１２ｅ，１２ｆ、記憶部１２ｃ、サーバ・プログラミング・インターフェース（SPI；Server Programming Interface）１２ｄ、制御部用水晶発信器１２ｇとで構成されている。
【００１９】
このような構成において、制御部用水晶発信器１２ｇは、ＣＰＵ１２ａのクロック制御信号に基づいて所定周期のクロック信号を発生する。記憶部１２ｃは、ＣＰＵ１２ａにより実行されるプログラムや設定データ等を記憶している。ＣＰＵ１２ａは、センサ部１１の心電図出力部１１ａ、加速度センサ１１ｂ、温度センサ１１ｃを始めとして、センシング信号送受信部１３を駆動制御するもので、センタ装置２から送られてくるセンシング開始及び終了、センシング周期等の指令の内容を不図示のメモリに記憶する。
【００２０】
ＣＰＵ１２ａは、この保存された指令と記憶部１２ｃに記憶された設定データとに基づいてクロック制御信号を生成して制御部用水晶発信器１２ｇに出力する。更にＣＰＵ１２ａは、制御部用水晶発信器１２ｇより発生されるクロック信号により、駆動信号としてセンシング開始及び終了、センシング周期に関する信号を生成する。
【００２１】
ＡＤ変換部１２ｂは、ＣＰＵ１２ａからの制御信号により駆動される心電図出力部１１ａからの心電図データをデジタル信号に変換するもので、ＣＰＵ１２ａよりＳＰＩ１２ｄを介してセンシング信号として出力する。ＡＤ変換部１２ｅは、ＣＰＵ１２ａからの制御信号により駆動される加速度センサ１１ｂからの加速度データをデジタル信号に変換するもので、ＣＰＵ１２ａよりＳＰＩ１２ｄを介してセンシング信号として出力する。ＡＤ変換部１２ｆは、ＣＰＵ１２ａからの制御信号により駆動される温度センサ１１ｃからの温度データをデジタル信号に変換するもので、ＣＰＵ１２ａよりＳＰＩ１２ｄを介してセンシング信号として出力する。ＣＰＵ１２ａから各センサ１１ａ，１１ｂ，１１ｃに供給する駆動信号としてはスタンバイ信号が用いられる。各センサ１１ａ，１１ｂ，１１ｃはスタンバイ信号が“Ｈ”レベルになるとセンシングを行う動作状態となり、”Ｌ“レベルになると非動作状態、つまり電力消費量の少ないスタンバイ状態となる。このほか、バッテリ１５は、例えばボタン型リチウム電池からなり、ＤＣ電圧を、センサ部１１、センサ駆動制御部１２、センシング信号送受信部１３等に駆動電源として供給する。
【００２２】
次に図６には、センサユニット１の構成要素であるセンシング信号送受信部１３の詳細な構成を示し説明する。この図６に示されるように、センサユニット１内のセンシング信号送受信信部１３は、ＳＰＩ１３ａ、デジタル信号制御部１３ｂ、信号変調部１３ｃ、混合部１３ｄ、電力増幅部１３ｅ、送受信信号分配部１３ｆ、低雑音増幅部１３ｇ、混合部１３ｈ、信号復調部１３ｉ、デジタル信号制御部１３ｊ、ＳＰＩ１３ｋ、送受信用水晶発振器１３ｌ、位相安定化回路１３ｍ、電圧制御型発振部１３ｎを備えている。
【００２３】
このような構成において、センシング信号送受信部１３は、センサ駆動制御部１２からのセンシング信号をＳＰＩ１３ａを介してデジタル信号制御部１３ｂに取り込み、信号変調部１３ｃでデジタル変調、例えばＱＰＳＫ（Quadrature Phase Shift Keying）変調し、混合部１３ｄにて電圧制御型発信器１３ｎの出力と混合した所定周波数に変換してセンシングデータを作成し、当該センシングデータを電力増幅部１３ｅで電力増幅し、送受信信号分配部１３ｆよりアンテナ部１４を介して、センタ装置２に向けて送信させる。
【００２４】
一方、センタ装置２から送られた無線信号をアンテナ部１４で受信すると、送受信信号分配部１３ｆで分配し、低雑音増幅部１３ｇでフィルタリングした後、混合部１３ｈに取り込む。そして、当該混合部１３ｈにて、無線信号を電圧制御型発振器１３ｎの出力と混合した所定周波数に変換した後、信号復調部１３ｉでデジタル復調し、このデジタル復調により得られた制御信号をデジタル信号制御部１３ｊよりＳＰＩ１３ｋを介してセンサ駆動制御部１２に供給することになる。
【００２５】
ここで、図７には、本発明の一実施の形態に係る生体情報モニタシステムの構成を更に具現化して示し説明する。この図７示されるように、生体情報モニタシステムを構成するセンサユニット１の本体ケース内には、例えば、心電図出力部１１ａ、加速度センサ１１ｂ、温度センサ１１ｃ、センサ信号送受信部１３、アンテナ部１４、送受信用水晶発信器１３ｌ、センサ駆動制御部１２、制御部用水晶発信器１２ｇ、バッテリ１５が図示の如く配置されている。各部の作用については前述したとおりである。そして、更に本体ケースからは電極２０１へと接続される配線が延出されている。
【００２６】
次に図８にはセンタ装置２の構成を示し説明する。図８に示されるように、センタ装置２は、アンテナ部２１、信号分配部２２、受信部２３、センサデータ収集処理部２４、センサ制御部２５、送信部２６とで構成されている。センサデータ収集処理部２４は、加速度データ記憶部２４ａ、周期・振幅解析部２４ｂ、行動状態判定部２４ｃ、心電図データ記憶部２４ｄ、データ照合部２４ｅ、表示部２４ｆからなる。
【００２７】
このような構成において、アンテナ部２１は、センサ制御部２５からの制御信号を送信する送信アンテナ機能とセンサユニット１からのセンシング信号を受信する受信アンテナ機能とを有する。この両機能の切り換えはアンテナ部２１に接続されたサーキュレータ等からなる信号分配部２２が行う。受信部２３は、センサユニット１から無線ネットワークやアンテナ部２１を介して送信された無線信号を受信した後、当該無線信号を復調し、この復調により得られるセンシング信号をセンサデータ収集処理部２４へ出力する。
【００２８】
送信部２６は、センサ制御部２５から出力された制御信号を変調した後、無線信号に変換し、この無線信号をアンテナ部２１から無線ネットワークを介してセンサユニット１に向けて送信する。このセンサ制御部２５は、例えばＣＰＵ(Central Processing Unit)やＤＳＰ(Digital Signal Processor)を備えたものであり、センサユニット１によるセンシング開始やセンシング周期に関する指令を含む制御信号を出力する。
【００２９】
センサデータ収集処理部２４は、受信したセンシング信号から被検体の生体情報をモニタする部分である。受信部２３が加速度データとしてのセンシング信号を受信すると、センサデータ収集処理部２４内では当該加速度データを加速度データ記憶部２４ａに一時記憶する。次に、記憶されている加速度データを適宜読み出し、周期・振幅解析部２４ｂが周期・振幅解析を実施する。この解析結果により得られた加速度データの時間変化データの周期（以下、「加速データ周期」と称する）と加速度データの時間変化データの振幅（以下、「加速度データ振幅」と称する）に基づいて、行動状態判定部２４ｃが詳細は後述するようにして、被検体の行動状態を判定する。
【００３０】
一方、受信部２３が心電図データとしてのセンシング信号を受信すると、センサデータ収集処理部２４内では当該心電図データを心電図データ記憶部２４ｄに一時記憶する。ついで、記憶されている心電図データを適宜読み出し、データ照合部２４ｅにて上記行動状態判定部２４ｃによる判定結果との照合がなされる。そして、表示部２４ｆにより、この照合結果が表示されることになる。
【００３１】
以下、本発明の一実施の形態に係る生体情報モニタシステムの特徴部分を説明する。
【００３２】
本発明の一実施の形態に係る行動監視システムでは、左右センサである加速度センサ１１ｂを含むセンサユニット１を被検体の体表面（例えば、胸部）に装着し、当該被検体の歩き方による身体重心の移動の上下の動きの周期と振幅から各状態を判別することを特徴としている。ここで、「振幅」は加速度の時間変化データの振幅であり、「周期」は加速度の時間変化データの周期である。
【００３３】
ここで、図９には、“静かに立つ”、“歩く”、“ゆっくり走る”、“走る”の各状態についての測定値、即ち加速度データの時間変化データの周期である加速データ周期と加速度データの時間変化データの振幅である加速度データ振幅との関係を示し説明する。この図９に示されるように、“静かに立つ”、“歩く”、“ゆっくり走る”、“走る”の各状態に応じて、所定の領域が定義されることが実験により明らかになった。すなわち、“静かに立つ”はＰ領域、“歩く”はＱ領域、“ゆっくり走る”はＲ領域、“走る”はＳ領域に入ることが明らかになった。そこで、この一実施の形態に係る生体情報モニタシステムでは、図１０に示されるように、Ｐ，Ｑ，Ｒ，Ｓの各領域を規定し、いずれかの領域に入ればその該当の状態であるものと判定することとした。図９，１０の横軸及び縦軸の値は、相対値であり任意目盛となっている。
【００３４】
ここで、図１０の上記各領域Ｐ，Ｑ，Ｒ，Ｓについて更に補足する。領域Ｐは、原点付近の領域に集まる。領域Ｑは、加速度データの振幅は小さいが、加速度データ周期はばらつく。領域Ｒは、加速度データの振幅は領域Ｑに比して大きくなるが、加速度データ周期は領域Ｑと同程度にばらつく。領域Ｓは、加速度データの振幅が最も大きくなるが、加速度データ周期は領域Ｑと同程度にばらつく。
【００３５】
そして、上述のように求められた被検体の行動状態と心電図データとの照合を一定時間毎に図ることとしている。これにより、加速度センサ１１ｂの出力に基づき被検体が負荷試験で予め定められた状態であると判定された場合に、心電図出力部１１ａからの心電図データを当該状態と照合、つまり対応付けることを可能としている。
【００３６】
尚、図１１乃至図１４には、心電図出力部１１ａによる実測値を示している。図１１は“静かに立っている”状態における心電図データ、図１２は“歩く”状態における心電図データ、図１３は“ゆっくり走る”状態における心電図データ、図１４は“走る”状態における心電図データ、をそれぞれ示している。
【００３７】
以下、図１５のフローチャートを参照して、本発明の一実施の形態に係る行動監視システムによる動作を詳細に説明する。
【００３８】
動作を開始すると、センタ装置２は、センサユニット１と無線通信を行った結果、センサデータ収集処理部２４の加速度データ記憶部２４ａに記憶した加速度データを一定時間毎に読み出す（ステップＳ１）。そして、変数Ｉをイニシャライズ（Ｉ＝０）した後（ステップＳ２）、加速度データ記憶部２４ａに記憶した加速度データＡ（Ｉ）とＡ（Ｉ＋１）とを読み出す（ステップＳ３）。続いて、周期・振幅解析部２４ｂが、加速度データＡ（Ｉ）とＡ（Ｉ＋１）とから加速度データＡ（Ｉ）の振幅が極大・極小か否かを判定する（ステップＳ４）。このステップＳ４にて、加速度データＡ（Ｉ）の振幅が極大・極小でないと判断した場合は、変数Ｉをインクリメント（Ｉ＝Ｉ＋１）した後（ステップＳ５）、変数Ｉがサンプリング単位数であるＮに至ったか否かを判断し（ステップＳ６）、Ｉ＝Ｎである場合には、動作を終了し、Ｉ＝Ｎでない場合には上記ステップＳ３に戻り、上記動作を繰り返す。一方、上記ステップＳ４にて、加速度データＡ（Ｉ）の振幅が極大・極小であると判断した場合は、続いて加速度データＡ（Ｉ）の振幅が極大か、極小かを判定する（ステップＳ７）。ここで、加速度データＡ（Ｉ）の振幅が極小であると判断した場合には極小のときの振幅をＰｍｉｎ（Ｉ）、時刻をＴｍｉｎ（Ｉ）とし（ステップＳ８）、その一方、極大であると判断した場合には極大のときの振幅をＰｍａｘ（Ｉ）、時刻をＴｍａｘ（Ｉ）とし（ステップＳ９）、極大、極小のデータが揃うか、揃っている場合にはいずれか一方が更新されるかを判断する（ステップＳ１０）。ここで、極大、極小のデータが揃っていない、或いは一方が更新されていないと判断した場合には、変数Ｉをインクリメント（Ｉ＝Ｉ＋１）した後（ステップＳ１１）、ステップＳ６に進み上記処理を行なう。一方、極大、極小のデータが揃ったか、或いは一方が更新されたと判断した場合には、これらの値に基いて、周期Ｔｍａｘ（Ｉ）−Ｔｍｉｎ（Ｉ）、振幅差Ｐｍａｘ（Ｉ）−Ｐｍｉｎ（Ｉ）を算出する（ステップＳ１２）。
【００３９】
続いて、行動判定部２４ｃは、加速度データ周期と加速度データ振幅が先に図１０に示した加速度データ周期−加速度データ振幅のグラフの中の領域Ｐ，Ｑ，Ｒ，Ｓのいずれに入るかを判定し、その判定結果より被検体の行動状態を判定する（ステップＳ１３乃至Ｓ２１）。より詳細に説明すると、行動状態判定部２４ｃは、変換後のデータが領域Ｐに含まれる場合には“静かに立つ”状態にあるものと判定し（ステップＳ１３，１４）、領域Ｑに含まれる場合には“歩く”状態にあるものと判定し（ステップＳ１５，１６）、領域Ｒに含まれる場合には“ゆっくり走る”状態にあるものと判定し（ステップＳ１７，１８）、領域Ｓに含まれる場合には“走る”状態にあるものと判定し（ステップＳ１９，２１）、一定時間毎に心電図データを心電図データ記憶部２４ｄから読み出し（ステップＳ２２）、心電図データとの対応をとった後（ステップＳ２０）、変数Ｉをインクリメントし（Ｉ＝Ｉ＋１）（ステップＳ２３）、上記ステップＳ６に戻り、上記動作を繰り返す。
【００４０】
以上詳述したように、本発明の一実施の形態によれば、加速度センサの出力に基づき被検体が負荷試験で予め定められた状態であるか否かを判定し当該状態である場合に心電図出力部からの心電図データとの照合を図ることができる。
【００４１】
尚、本発明は上記実施の形態に限定されることなく、その趣旨を逸脱しない範囲で種々の改良・変更が可能であることは勿論である。例えば、２軸、３軸の加速度センサを採用し、当該２軸、３軸の加速度センサの出力を処理し、行動監視可能なように構成することは可能であることは勿論である。
【図面の簡単な説明】
【００４２】
【図１】本発明の一実施の形態に係る生体情報モニタシステムの概観図である。
【図２】センサユニット１の構成例を示す図である。
【図３】センサユニット３の構成例を示す図である。
【図４】センサユニット４の構成例を示す図である。
【図５】センサユニット１の構成要素であるセンサ駆動制御部１２とセンサ部１１との詳細な構成を示す図である。
【図６】センサユニット１の構成要素であるセンシング信号送信部１３とセンサ駆動信号受信部１５の詳細な構成を示す図である。
【図７】本発明の一実施の形態に係る生体情報モニタシステムの構成図である。
【図８】センタ装置２の構成を示す図である。
【図９】“静かに立つ”、“歩く”、“ゆっくり走る”、“走る”の各状態での加速度データ周期と加速度データ振幅の関係を示す図である。
【図１０】“静かに立つ”、“歩く”、“ゆっくり走る”、“走る”の各状態での加速度データ周期と加速度データ振幅の関係から行動を判定するための領域Ｐ，Ｑ，Ｒ，Ｓを定義した図である。
【図１１】“静かに立っている”状態での心電図出力部１１ａの実測例を示す図である。
【図１２】“歩く”状態での心電図出力部１１ａの実測例を示す図である。
【図１３】“ゆっくり走る”状態での心電図出力部１１ａの実測例を示す図である。
【図１４】“走る”状態での心電図出力部１１ａの実測例を示す図である。
【図１５】本発明の一実施の形態に係る生体情報モニタシステムによる動作を詳細に説明するためのフローチャートである。
【符号の説明】
【００４３】
１，３，４…センサユニット、２…センタ装置、１１…センサ、１１ａ…心電図出力部、１１ｂ…加速度センサ、１１ｃ…温度センサ、１２…センサ駆動制御部、１３…センシング信号送受信部、１４…アンテナ部、１５…バッテリ、２１…アンテナ部、２２…信号分配部、２３…受信部、２４…センサデータ収集処理部、２４ａ…加速度データ記憶部、２４ｂ…周波数・時間解析部、２４ｃ…行動状態判定部、２４ｄ…心電図データ記憶部、２４ｅ…データ照合部、２４ｆ…表示部、２５…センサ制御部、２６…送信部。
【図１】
2007097822.tif 000003
【図２】
2007097822.tif 000004
【図３】
2007097822.tif 000005
【図４】
2007097822.tif 000006
【図５】
2007097822.tif 000007
【図６】
2007097822.tif 000008
【図７】
2007097822.tif 000009
【図８】
2007097822.tif 000010
【図９】
2007097822.tif 000011
【図１０】
2007097822.tif 000012
【図１１】
2007097822.tif 000013
【図１２】
2007097822.tif 000014
【図１３】
2007097822.tif 000015
【図１４】
2007097822.tif 000016
【図１５】
2007097822.tif 000017